Podtech/llm-jp-corpus-v4-ja_patent huggingface dataset:
(57)【要約】【課題】嗜好性が良く、かつ発育改善効果の優れた家畜の発育改善剤を提供することを目的とする。【解決手段】蟻酸、乳酸およびプロピオン酸を含有し、かつ当該蟻酸１に対し、重量比で乳酸が３．９５〜１００、プロピオン酸が０．１〜５配合されていることを特徴とする家畜の発育改善剤。【選択図】なし【特許請求の範囲】
【請求項１】
蟻酸、乳酸およびプロピオン酸を含有し、かつ当該蟻酸１に対し、重量比で乳酸が３．９５〜１００、プロピオン酸が０．１〜５配合されていることを特徴とする家畜の発育改善剤。
【請求項２】
請求項１に記載の改善剤に水を加え、蟻酸及び乳酸の合計含有量を０．０５〜２重量％とした飲水を給与することを特徴とする家畜の飼育方法。
【発明の詳細な説明】
【技術分野】
【０００１】
本発明は、家畜に給与する嗜好性の良好な発育改善剤に関する。
【背景技術】
【０００２】
従来、有機酸を添加した飼料によって、家畜を飼育して生産性を向上させることは知られている。一方、有機酸のなかでも特に蟻酸を用いた場合は嗜好性が悪いことから、極めて少量の配合量の場合には若干のプラス効果が認められるが、配合量が増大するにつれて逆に体重増加が悪くなることも知られている。
このような蟻酸の嗜好性を改善する方法として蟻酸カルシウムまたは蟻酸マグネシウムからなる、若い成長期の豚および鶏における生産性増進剤が提案されている（特許文献１参照）。
しかしながら、この生産性増進剤においても未だ満足できるものではなかった。
【特許文献１】特開昭６３−５２８４６号公報
【発明の開示】
【発明が解決しようとする課題】
【０００３】
そこで本発明者等は、従来から嗜好性の悪い蟻酸を用いて嗜好性が良好で、かつ優れた発育効果を有する発育改善剤について種々研究を重ねた結果、本発明を完成するに至った。
【課題を解決するための手段】
【０００４】
すなわち、本発明は、蟻酸および乳酸を含有する家畜の発育改善剤に関する。
【発明の効果】
【０００５】
本発明の発育改善剤は、極めて嗜好性が良く、かつ発育改善効果にも優れている。
【発明を実施するための最良の形態】
【０００６】
本発明の発育改善剤の有効成分である蟻酸と乳酸との配合割合は、蟻酸１に対して乳酸を０．１〜１００（重量比）、特に０．３〜１０（重量比）の範囲配合することが好ましい。また本発明の発育改善剤は、蟻酸および乳酸にプロピオン酸を併用することによってさらに嗜好性が向上する。このプロピオン酸の配合割合は特に制限されるものではないが、好ましくは蟻酸１に対し０．１〜５（重量比）の範囲が好適である。
さらに本発明の発育改善剤は、所望によりクエン酸、フマル酸、酪酸、リンゴ酸、酢酸等の他の有機酸を配合することもできる。
本発明の発育改善剤を調製する場合、ケイ酸等の賦形剤を適宜用いることもできる。
【０００７】
本発明の発育改善剤を家畜に給与する方法としては溶液として給与する方法、粉末状の発育改善剤を飼料と混合して給与する方法等が挙げられるが、特に飲水による不断給与が好ましい。給与する家畜としては、豚、牛、鶏等が挙げられる。
【０００８】
本発明の発育改善剤の給与量としては、蟻酸および乳酸の合計量として０．０５〜２重量％、特に０．１〜１重量％の範囲が好ましい。
【実施例】
【０００９】
次に本発明をさらに具体的に説明するために実施例を掲げるが、本発明は以下の実施例のみに限定されるものではない。
【００１０】
実施例１
蟻酸７５．０重量部および乳酸２５．０重量部を均一に混合して発育改善剤を調製した。
【００１１】
実施例２
蟻酸２５．０重量部および乳酸７５．０重量部を均一に混合して発育改善剤を調製した。
【００１２】
実施例３
蟻酸１６．７重量部、乳酸６６．６重量部およびプロピオン酸１６．７重量部を均一に混合して発育改善剤を調製した。
【００１３】
次に本発明の発育改善剤の嗜好性について試験を行った。
【００１４】
試験例１
豚（ＬＷ種、体重７kg）８頭を１区として設け、これらの豚に基礎飼料として人工乳前期飼料（「ハーブソフト」日清飼料株式会社製商品名）と実施例１〜３の発育改善剤を用いて有機酸の合計量としての濃度が０．２％になるように調整した飲水を７日間不断給与してその飲水量を調べた。なお比較のために飲水として水道水あるいは蟻酸水溶液（濃度０．２％）のみの場合を対照例として示す。その試験結果を示せば表１のとおりである。
【００１５】
【表１】
2008029359.tif 000002
【００１６】
試験例２
鶏（レイヤー）１０羽を１区として設け、これらの鶏に基礎飼料として表２に示す無薬レイヤー用飼料を給与して孵化直後から４週間飼育した。その間試験開始から３週間後にサルモネラ  エンテリティディス（ＳＥ）（Salmonella Enteritidis）を１羽あたり１０7ＣＦＵ経口投与した。またこの試験期間中実施例３で調製した発育改善剤を飲水に溶かして０．２％濃度に調整し、この飲水を不断給与した。
なお比較のために飲水のみを与え、他は前記と同様に試験した結果を対照例として示す。
４週間飼育後に解剖・採材し、肝臓中および盲腸内のＳＥ検出率および盲腸内容物中のＳＥ菌数を調べた。
次にその試験結果を示せば表３のとおりである。
【００１７】
【表２】
2008029359.tif 000003
【００１８】
【表３】
2008029359.tif 000004
【００１９】
実施例４
蟻酸３７．５重量部、乳酸１２．５重量部およびケイ酸５０．０重量部を均一に混合して粉末状の発育改善剤を調製した。この粉末状の発育改善剤を基礎飼料とする無薬人工乳前期飼料（「無薬前期」日清飼料株式会社製商品名）に０．２％および０．４％濃度（蟻酸および乳酸の合計量としての濃度）になるように添加した。
【００２０】
実施例５
蟻酸３７．５重量部および乳酸１２．５重量部を水５０．０重量部に溶解して液状の発育改善剤を調製した。この液状の発育改善剤を飲水に溶かして０．２％および０．４％濃度（蟻酸および乳酸の合計量としての濃度）の飲水に調整した。
【００２１】
実施例６
蟻酸８．４重量部、乳酸３３．２重量部およびプロピオン酸８．４重量部を水５０．０重量部に溶解して液状の発育改善剤を調製した。この液状の発育改善剤を水に加えて０．２％および０．４％濃度（蟻酸、乳酸およびプロピオン酸の合計量としての濃度）の飲水を調製した。
【００２２】
次に実施例４〜６で調製した発育改善剤を用いて豚の飼育試験を行った。
【００２３】
試験例３
豚（マイティーＬＷＤ）８頭を１区として設け、これらの豚に基礎飼料として無薬人工乳前期飼料（「無薬前期」日清飼料株式会社製商品名）と本発明の発育改善剤を有機酸の合計量としての濃度が０．２％および０．４％になるように基礎飼料および飲水を調整して、それぞれ不断給与を行い、２１日間飼育した。なお比較のために飲水として水道水を用いた場合を対照例として示す。その試験結果を示せば表４のとおりである。
【００２４】
【表４】
2008029359.tif 000005
(57)【要約】【課題】  釣りで使用する溝の入った小型の丸玉型重り、又は楕円型重りを、釣糸に楽で確実に取付けるための簡易な釣り用重り取付け具を提供する。【解決手段】  上下二片を一組とする、片手指先に装着して操作するパーツであり、下部パーツには内側平坦部表面の一部に設けられた半円形凹部と、両端に釣糸を引っ掛けるための切込み部が設けられ、他方の手で使用する重りを溝を上にして前記くぼみに置いたら、その手で次に釣糸を重りの溝と切込み部に引っ掛け下方に向けて張りホールドし、その状態のまま取付け具を操作する方の手で上部パーツを下部パーツの重りに当て、前方方向にスライドさせるように押圧すると、重りがころがる過程で釣糸に装着される構造を持つ。【選択図】図１
2008029316.tif 000002
【特許請求の範囲】
【請求項１】
上下二片を一組とする片手指先で操作するパーツにおいて、下部パーツ内側平坦部表面の一部には、半円形凹部と、該下部パーツ左右両端に切込み部が設けられ、上部パーツを該下部パーツに当て一定方向にスライド押圧させると、釣り用溝付き丸玉型重り又は楕円型重りを、釣糸に装着できる釣り用重り取付け具。
【請求項２】
上下二片を一組とする各パーツの一端が連結されており、該パーツには各々外側に指差込部が設けられた請求項１の釣り用重り取付け具。
【発明の詳細な説明】
【技術分野】
【０００１】  本発明は釣りで使用する仕掛けを作る際に、小型の溝付き丸玉型重り（通称ガン玉）又は溝付き楕円型重りを、釣糸に取付けるための作業を容易にする釣り用重り取付け具に関するものである。
【背景技術】
【０００２】  従来、釣糸に小型の溝付き丸玉型重り又は楕円型重りを取付ける際には、これら小さな重りを指につまみ、重り表面から中心に向ってくさび形に開く溝部分に釣糸を挟み込み、歯で重りを潰したりペンチで挟んだりして取付けていた。
なお、本発明に関連する公知技術として次の特許文献１、２、３、４を挙げることができる。
【特許文献１】  特許第３６７１１８０号公報
【特許文献２】  特開２００２−１５０号公報
【特許文献３】  特開２００３−１８９７７４号公報
【特許文献４】  実開平６−４５４６５号公報
【発明の開示】
【発明が解決しようとする課題】
【０００３】  しかしながら従来のやり方では、玉が小粒であるため釣糸に溝部分を装着する際に指先からこぼれ落ちたり、歯やペンチで挟む操作の途中でこぼれ落ちたりと、粒が小さくなるほどに作業は困難であった。
本発明は、以上の問題点を解決するためになされたものである。
【課題を解決するための手段】
【０００４】  上下二片を一組とする片手指先で操作するパーツであり、下部パーツ内側平坦部表面の一部には、半円形凹部と左右の両端に釣糸を引っ掛けるための切込み部が設けられ、上部パーツを下部パーツに当て一定方向にスライド押圧させると、溝付き丸玉型重り又は楕円型重りが、釣糸に簡単装着出来る釣り用重り取付け具である。
【発明の効果】
【０００５】  本発明を使用することにより従来困難で失敗の多かった取付け作業が、簡易で確実なものとなり、仕掛け作りの時間が短縮される。又、無駄になる重りの数も減り、鉛素材である重りが地面や水中に落ちて環境に影響を及ぼすことも減らせる。
【発明を実施するための最良の形態】
【０００６】  以下図面に基づき、本発明の実施の形態について説明する。
（イ）  上部パーツ（１）と下部パーツ（２）を一組とする重り取付け具を、図６で示すように片手指先に装着する。この際、指差込部である（６ａ）と（６ｂ）が、上部パーツ（１）と下部パーツ（２）の表面外側に設けられていると操作性が良い。
（ロ）  他方の手で小型溝付き丸玉型重り又は溝付き楕円型重り（７）を、下部パーツ（２）の内側平坦部表面の一部に設けられた半円形凹部（３）に、重りの溝が上を向くように置く。
（ハ）  その置いた手で次に、図６の示すように釣糸（８）を持ち、図４のように前記凹部（３）上の重り（７）の溝にはめ、さらに下部パーツ（２）の左右両端に設けられた切込み部（４ａ）（４ｂ）に引っ掛け、釣糸（８）を下方に向けて張り、重り（７）が動かぬようホールドする。
（ニ）  その状態のまま、取付け具を装着するほうの手で上部パーツ（１）を重り（７）に当て、指差込部（６ａ）にはめた指（親指）に力をいれて、図５のように重りがやや半回転する程度に前方に押す。
（ホ）  重り（７）は押圧され、下部パーツ（２）の前記凹部（３）から前方に向けてころがる過程で釣糸を挟み込み、セットされる。
以上の工程で重りは簡単に釣糸に装着出来る。鋏やペンチの操作と違い、指先にはめての操作なので，指先の動きが直接伝わりやすく、且つ取付け具を介することで重りの保持安定性は向上し、失敗が減る。
取付け具は樹脂等の一体成型で、図２に示すような上下のパーツがつながっている連結部（５）を設ければ、片方のパーツを無くしてしまう事が無くなる。
又、指差込部（６ａ）と（６ｂ）に指を差し込み装着して、押圧する操作の力が効率よく伝わるよう、（９ａ）（９ｂ）の突起部を設けるとなお良い。
上部パーツ（１）と下部パーツ（２）の内側表面には、一部に滑り止め加工が用いられると、重りの保持性と、押圧スライド時の摩擦によるグリップ力で釣糸への装着力が向上する。ただし上下パーツのスライドを妨げぬ程度の弾性と、繰り返し操作する上での耐久性は必要とされる。
以上の特性をもつ本発明は、比較的コストもかからず、操作も単純であり、大人から子供まで容易に扱える。使用する重りは、市販の溝付き丸玉型重りの直径３ミリ程度のものから、７ミリ程度のものまで可能であり、同じサイズ相当の楕円型も使用できる。
【図面の簡単な説明】
【０００７】
【図１】本発明の斜視図
【図２】本発明の側面図
【図３】本発明の下部パーツ内側面
【図４】本発明の使用状態を示す側面の一部拡大図
【図５】本発明の使用状態を示す側面の一部拡大断面図
【図６】本発明の使用状態を示す斜視図
【図７】本発明の他の形状を示す斜視図
【符号の説明】
【０００８】１  上部パーツ
２  下部パーツ
３  半円形凹部
４ａ、４ｂ  切込み部
５  連結部
６ａ、６ｂ  指差込部
７  小型溝付き丸玉型重り又は溝付き楕円型重り
８  釣糸
９ａ、９ｂ  突起部
【図１】
2008029316.tif 000003
【図２】
2008029316.tif 000004
【図３】
2008029316.tif 000005
【図４】
2008029316.tif 000006
【図５】
2008029316.tif 000007
【図６】
2008029316.tif 000008
【図７】
2008029316.tif 000009
(57)【要約】      （修正有）【課題】道糸とハリスをつなぐため丸カンを使って仕掛を作っていたが道糸にオモリを付けていたため道糸が板オモリの為に傷ついていた。使っている内に道糸が切れてしまっていた。【解決手段】本発明はその道糸の傷つきを解消したものである。（イ）輪っかと輪っかを継ぐことでオモリを道糸に巻かずにすむ。（ロ）オモリが個定される。（ハ）道糸を傷つけない。（ニ）道糸とハリスを容易に継ぐことができる。【選択図】図２
2008029318.tif 000002
【特許請求の範囲】
板オモリが巻けるメガネの様な釣具
【発明の詳細な説明】
【技術分野】発明の詳細な説明  この発明は道糸とハリスをつなぐため丸カンを使って仕掛を作っていたが、道糸にオモリを付けていたため道糸が板オモリの為に傷ついていた。使っている内に道糸が切れてしまっていた。本発明はその道糸の傷つきを解消したものである。（イ）輪っかと輪っかを継ぐことでオモリを道糸に巻かずにすむ（ロ）板オモリが固定される。（ハ）道糸を傷つけない。（ニ）道糸とハリスを容易に継ぐことができる。
【図面の簡単な説明】
【図】▲１▼  丸い輪っかを作る▲２▼  板オモリを巻く所▲３▼  道糸▲４▼  ハリス▲５▼  板オモリ
2008029318.tif 000003
【手続補正書】
【提出日】平成19年2月2日(2007.2.2)
【手続補正２】
【補正対象書類名】図面
【補正対象項目名】全図
【補正方法】変更
【補正の内容】
【図１】
2008029318.tif 000004
【図２】
2008029318.tif 000005
(57)【要約】【課題】キャリーケースの使用時にお洒落を楽しみたいとき、また雨の日の防水と防犯効果も含まれる、キャリーケースの着せ替えカバーに関するものである。【解決手段】弾性を有するビニール等からなる任意のキャリーケースを覆うことができるカバー本体と、前記カバー本体上部に設けられたキャリーケース等の取っ手を挿入できる切り込みと、前記のカバー本体下部に設けられた開放部と該開放部に設けられたボタン、ファスナー等の開閉手段と、前記カバー本体の底面付近に設けられた、キャリーケース等のキャスター等が挿入できる切り込みとで構成される事を特徴とするキャリーケースの着せ替えカバー。【選択図】図１
2008029779.tif 000002
【特許請求の範囲】
【請求項１】
弾性を有するビニール等空なる任意のキャリーケースを覆うことができるカバー本体と、前記カバー本体上部に設けられたキャリーケース等の取っ手を挿入できる切り込みと、前記のカバー本体下部に設けられた開放部と該開放部に設けられたボタン、ファスナー等の開閉手段と、前記カバー本体の底面付近に設けられた、キャリーケース等のキャスター等が挿入できる切り込みとで構成される事を特徴とするキャリーケースの着せ替えカバー。
【請求項２】
前記カバー本体表面にキャラクターや模様等をプリントした事を特徴とする請求項１記載のキャリーケースの着せ替えカバー。
【発明の詳細な説明】
【技術分野】
【０００１】本発明はキャリーケースの使用時にお洒落を楽しみたい時、また雨の日の防水と防犯効果も含まれる、キャリーケース着せ替えカバーに関するものである。
【背景技術】
【０００２】従来、キャリーケースの使用時、雨の日は、ケースの上から大きいゴミ袋などを被せていた。雨に濡れたゴミ袋を被せたキャリーケースは、持ち運びに大変そうだった。また美観も悪かった。
【発明の開示】
【発明が解決しようとする課題】
【０００３】そのため次のような問題があった。
（イ）雨に濡れたゴミ袋を被せたキャリーケースでの電車やタクシーの乗り降りが大変だった。
（ロ）濡れた袋を捨てるために、また他の袋が必要なっていた。
【課題を解決するための手段】
【０００４】弾性を有するビニール等からなる任意のキャリーケースを覆うことができるカバー本体と、前記カバー本体上部に設けられたキャリーケース等の取っ手を挿入できる切り込みと、前記のカバー本体下部に設けられた開放部と該開放部に設けられたボタン、ファスナー等の開閉手段と、前記カバー本体の底面付近に設けられた、キャリーケース等のキャスター等が挿入できる切り込みとで構成される事を特徴とするキャリーケースの着せ替えカバーである。
【発明の効果】
【０００５】本発明は、雨の日のゴミ袋のキャリーケースを、お洒落に着せ替えできる、斬新なデザインの着せ替えカバーになっている。
（イ）カバー本体がビニール等の防水効果のある素材でできていて、キャリーケース全体を覆う事ができるため、雨の日でもケースが濡れる心配がない。また、キャリーケースを痛みから守ることができ、防犯効果も期待できる。
（ロ）カバー本体にはキャラクターや模様等がプリントされているため、キャリーケースを自由にデザインすることができる。
【発明を実施するための最良の形態】
【０００６】以下、本発明の実施の形態を図１から図４を利用して説明する。
（イ）袋状のカバー本体（１）の上部にキャリーケースの取っ手（７）が挿入できる切り込み（２）を設ける。
（ロ）カバー本体の下部にキャリーケースのキャスター（８）を挿入できる切り込み（３）を設ける。
（ハ）カバー本体の下部に開放部（４）を設け。該開放部にボタン（５）を設ける。
（ニ）カバー本体の表面にデザイン性のある模様（１０）をプリントする。
本発明は以上の構成によりなっている。
本発明を使用する時は、ボタン（５）をはずしキャリーケース（６）に被せ、上部切り込み（２）より取っ手（７）を出す、下部切り込みよりキャスター（８）を出しボタン（５）をとめる。
｛発明を実施するための異なる形態｝【０００７】  次に、図５並びに図６に示す本発明の異なる実施の形態について説明する。前記本発明の第１の実施の形態と主に異なる点は、開閉手段で、ボタンの代わりにファスナー（９）を用いている。このように構成された開閉手段を用いても、前記本発明の第１の実施の形態と同様の作用効果を得られる。
【図面の簡単な説明】
【０００８】
【図１】本発明の第１の実施例の斜視図
【図２】本発明の第１の実施例の展開斜視図
【図３】本発明の第１の実施例の底面図
【図４】本発明の第２の実施例の使用状態を示す斜視図
【図５】本発明の第２の実施例の斜視図
【図６】本発明の第２の実施例の展開斜視図
【符号の説明】
【０００９】１  カバー本体
２  上部切り込み
３  下部切り込み
４  開放部
５  ボタン
６  キャリーケース
７  取っ手
８  キャスター
９  ファスナー
１０  模様
【図１】
2008029779.tif 000003
【図２】
2008029779.tif 000004
【図３】
2008029779.tif 000005
【図４】
2008029779.tif 000006
【図５】
2008029779.tif 000007
【図６】
2008029779.tif 000008
(57)【要約】      （修正有）【課題】部屋の中に存在する浮遊粉塵を除去する装置で、化学的プラスチックがこすれて発生する静電気を活用して、浮遊粉塵をネットや羽根に吸着させる方法を提供する。【解決手段】部屋内にある浮遊粉塵を扇風機１利用して扇風機１にネット２を被せ、先端に羽根３を繋いで、この羽根３が擦れて静電気を発生させ時間と共に増加し、ネット２全体に拡がり長時間には静電気の容量が増加し吸着力が増加されて、短時間に吸着除去される。【選択図】図１
2008029786.tif 000002
【特許請求の範囲】
【請求項１】
化学的プラスチックがこすりあって起きる、静電気を▲３▼羽根で発生させて▲２▼ネット（化学繊維）全体に蓄えて浮遊粉塵を▲２▼ネットや▲３▼羽根に吸着させる。
【発明の詳細な説明】
【発明の詳細な説明】
【技術分野】
【０００１】  本発明は部屋の中に存在する浮遊粉塵を除去する装置で化学的プラスチツクがこすれて、発生する静電気を活用して浮遊粉塵を▲２▼ネットや▲３▼羽根（ビニール等）に吸着させる構造。
【背景技術】
【０００２】  バキュームにて丁寧に掃除するか又は空気清浄器等にて除去する。
【発明が解決しようとする課題】
【０００３】  未来において電気化が進む傾向が考えられることから、一軒の家庭での電気使用量（カスも含む）が多くなりダイオキシンの増加が危惧される。
【課題が解決するための手段】
【０００４】  ダイオキシンは塩素系樹脂（塩化ビニール等）が燃焼した時に発生するガスで化学的プラスチック（化学繊維も含む）にき出する現象があるので除去させたい。
【発明を実施するための最良の形態】
【０００５】本発明は部屋内に有る浮遊粉塵を扇風機を利用して▲２▼ネットに静電気を蓄えて、▲２▼ネット全体で浮遊粉塵を除去させる方法。
【実施例】実施例については簡単な図面を参照して説明すると［図−１］に於いて▲１▼扇風機に▲２▼ネットを被せ、先端に▲３▼羽根（化学プラスチック）を繋いで、其の羽根が擦れて静電気が発生し時間と共に増加し▲２▼ネット全体に拡がり長時間には静電気の容量が増加し吸着力が増加されて、短時間に除去されると考えられる。この現象を利用して浮遊粉塵を除去する構造で有る。
尚、▲４▼は空気の流入ガイドで有ります。
【発明の効果】
本発明は、以上説明したような形態で実施され、下記に記する効果を奏する。
記
室内の空気清浄に役立ち又は病気等にも効果が有る。
【図面の簡単な説明】
【図−１】部分断面図
【符号の説明】
▲１▼扇風機    ▲▼ネット    ▲３▼羽根    ▲４▼流入ガイド
【図１】
2008029786.tif 000003
【手続補正書】
【提出日】平成19年4月2日(2007.4.2)
【手続補正２】
【補正対象書類名】図面
【補正対象項目名】図１
【補正方法】変更
【補正の内容】
【図１】
2008029786.tif 000004
(57)【要約】      （修正有）【課題】    カップとドリッパーを一体化させドリッパー部を組み立てずにより簡単に本格的ドリップコーヒーを楽しむことができるタイムドリッパを提供する。【解決手段】    末広がりの筒状のコーヒー濾しの側面にスリットを設けることによりコーヒーカップにはめ込んだコーヒー濾しの上下へのスライド、収納を可能とし、コーヒー濾しの下方淵に突起部、コーヒーカップの上部に溝を設けることによりコーヒー濾しを引き上げただけで凹凸がはまり上部での固定、ドリップの高さの確保を可能とさせた。コーヒーフィルターにコーヒー粉を入れる際もコーヒー粉入れ容器を二重にし内側の上部に突き出た容器を押すだけで内側容器の先が容器下部の蓋を突き破りコーヒー粉がこぼれ落ちるという仕組みを施した。【選択図】図２
2008029787.tif 000002
【特許請求の範囲】
【請求項１】
コーヒーフィルターを兼ね備えた末広がりの側面に切れ込みの入った筒状のコーヒー漉しがコーヒーカップの内側にはまり一体化した携帯型簡易コーヒードリッパー。  コーヒー濾しとなる筒の下方円周の淵が外側に突き出し空洞となっており、コーヒーカップの上方円周部に外側に突き出した溝を設けコーヒー濾しを引き揚げたときコーヒー濾し下部の淵とカップの溝がはまり固定される。
【請求項２】
筒が２つ重なり本体となる筒が上部に向かって窪み、内側の筒が下方に向かい末広がりとなることで内側の筒を上方に引くことにより２つの接続部が密閉され、本体の筒の底の部分は破れやすい密閉素材で、内側の筒の上部は塞さがれ下部の先端は本体下部の素材を突き破りやすいよう鋭利となった液体、粒子の収納ケース。
【発明の詳細な説明】
【技術分野】
【０００１】本発明は簡易型カップ一体型のコーヒードリッパーセットに関する。
【背景技術】
【０００２】従来の簡易型コーヒードリッパーは紙素材で組み立て式のものである。【０００３】以前の簡易型コーヒードリッパーでは、本体を袋から取り出しお湯の注ぎ口を開封し注ぎ口を広げカップに引っ掛ける部分を組み立て、カップに掛ける必要があった。
【発明の開示】
【発明が解決しようとする課題】
【０００４】  以上に述べた従来の簡易型コーヒードリッパーではカップを用意し、袋の中から簡易コーヒードリッパーを取り出し、湯の注ぎ口を開封しカップへ掛ける部分を組み立てカップへ掛ける必要があった。【０００５】  本発明はこのような従来の構成が有していた問題を解決しようとするものでありカップとドリッパーを一体化させドリッパー部を組み立てずにより簡単に本格的ドリップコーヒーを楽しむことを目的としたものである。
【課題を解決するための手段】
【０００６】  そして、本発明は上記目的を達成するためにドリッパーとしてのコーヒー濾しとコーヒーカップを組み合わせ、上部のコーヒー濾しの側面にスリットを設けることによりコーヒー濾し部分のスライドを可能としコーヒーのドリップする高さを確保し同時に収納性、携帯性を持ち合わせたものである。【０００７】    また、上部へスライドしお湯を注ぐ際にコーヒー濾しが安定する為にカップ部の上部の円周に沿って溝を設け、対にコーヒー濾しの下部の円周には突起部を設けコーヒー濾しを上部に引き上げた際、この溝に突起部がはまり固定される仕組みを施したもの。【０００８】    また、セットとしてのコーヒー粉入れは２重になった筒状の容器の上部に突き出た内側の筒を下方に押し込むことにより内側の筒の下方部先端が外側の筒の容器の蓋を突き破り中のコーヒー粉がこぼれ落ちる仕組みを施したものである。
【発明の効果】
【０００９】    上述したように本発明の簡易コーヒードリッパーセットでは初めコンパクトにまとまり、濾し器を引き上げると濾し器の突起部とカップの溝の部分が固定されコーヒー濾しが簡単に作られ、コーヒー粉も容器を持って本体から突き出た内側の筒を押すだけで本体下部の蓋が破られ粉がフィルターに注がれ、その後お湯を注ぐだけで本格的ドリップコーヒーが楽しめる。
【発明を実施するための最良の形態】
【００１０】以下、本発明の実施形態を図１〜図４に基づいて説明する。【００１１】図１において１はコーヒー濾しとなるもので、末広がりの筒状の形状で上部にフィルターを兼ね備え側面には上下動を可能にするためスリットを設けてある。  ３はカップとなるもので上部に外側に張り出した溝ａを設けてある。【００１２】図２では１を引き上げた時にｂの外側に張り出した淵がａの溝にはまり固定されドリッパーとしての高さを確保し機能する際の図である。【００１３】図３においては細線４がコーヒー粉の容器となる部分で上方は容器５を下方から通す為穴が開き下方には容器５を通した後破れやすい密閉素材の蓋がされている。  この本体の内側に５の容器が重なりＣの部分が重なることで容器の中の密閉を保っている。  斜線ｄはコーヒー粉を表している。【００１４】図４においては、本体４を持ち容器５の上部を押したとき容器５下方の鋭利な先端ｅが容器４の下部の蓋ｆを突き破り中のコーヒー粉がこぼれ落ちたものを表している。
【図面の簡単な説明】
【図１】本発明の実施形態を示す簡易型カップ一体型コーヒードリッパーセットの本体。
【図２】ドリッパー部を引き上げ機能する際の図。
【図３】本発明のもう一つの機能となるコーヒー粉入れの形態図。
【図４】コーヒー粉入れ上部を押し粉がこぼれ落ちる機能図。
【符号の説明】
１    コーヒー濾し
２    コーヒーフィルター
３    コーヒーカップ
４    コーヒー粉入れ容器本体
５    コーヒー粉入れ内側容器
ａ    コーヒーカップの溝
ｂ    コーヒー濾しの淵
ｄ    コーヒー粉
ｅ    コーヒー粉入れ内側容器下部先端
ｆ    コーヒー粉入れ容器蓋
【図１】
2008029787.tif 000003
【図２】
2008029787.tif 000004
【図３】
2008029787.tif 000005
【図４】
2008029787.tif 000006
(57)【要約】【課題】  シュウマイを作る時に、シュウマイの具の成型を容易とし蒸す作業を電子レンジを用いることで少量でも簡単に蒸し上げ後かたづけの手間を簡略にする電子レンジ専用シュウマイ成型、蒸し器を提供する。【解決手段】  底に水受けを設け、その上にシュウマイの皮と具を入れる蒸気孔を有する底部を備えた円形状のシュウマイ成型容器を結合する受け板をのせ上部に蒸気孔のあるフタをかぶせることを特徴とした電子レンジ専用のシュウマイ成型蒸し器。【選択図】図１
2008029782.tif 000002
【特許請求の範囲】
【請求項１】
上部に蒸気孔を有するフタを備えた水受け容器と、周囲に複数の蒸気孔を有する、フタと底部を備えた円筒状のシュウマイ成型容器と、当該シュウマイ成型容器が結合可能な円状の装着孔と複数の蒸気孔を有する受け板と、当該受け板は、前記水受け容器の内部に備えたことを特徴とする電子レンジ専用シュウマイ製造機。
【発明の詳細な説明】
【技術分野】
【０００１】    本発明は、電子レンジでシュウマイを作る時に、そのまま加熱してシュウマイの形成と蒸しを一度にする電子レンジ専用シュウマイ製造器に関するものである。【０００２】    従来、シュウマイを作るときは、手で皮に具を包み形成し蒸し器を出して湯気を立てて蒸し上げていた。
【発明の開示】
【発明が解決しようとする課題】
【０００３】    そのために、次のような問題点があった。
シュウマイの皮を手に受けて具をのせシュウマイの皮をよせ形を作るのに手間がかかり均一の大きさや形をつくるのに時間がかかった。また、少量のシュウマイを作るのにセイロを出し蒸すのはいかにもめんどうで後かたづけも大変であった。
本発明は以上の問題点を解決しようとするものである。
【課題を解決するための手段】
【０００４】    電子レンジの熱に耐えられる素材を用い、底部には水受け、上部には蒸気の抜ける孔を開けフタを閉める。その真ん中にシュウマイの皮と具を入れる蒸気の抜ける細かな孔の開いた円筒状の容器と結合する板をセットし電子レンジで蒸し上げる。以上を特徴とする電子レンジ専用のシュウマイ成型、蒸し器である。
【発明の効果】
【０００５】      本発明はシュウマイ成型容器に皮と具を入れてシュウマイの形を形成し底部にある水受けに水を入れフタをして電子レンジで加熱調理する。したがって、手でシュウマイの具を形成し少量の蒸し物をするのにセイロを出すわずらわしさがない。
【発明を実施するための最良の形態】
【０００６】以下、本発明の実施の形態を説明する。
（イ）  上部に蒸気孔（１）を有するフタ（２）を備えた水受け容器（３）設ける。
（ロ）  周囲に複数の蒸気孔（７ａ）を有する底部を備えた円筒状（７）のシュウマイ成型容器を設ける。
（ハ）  当該シュウマイ成型容器が結合可能な円状の装着孔（６）と複数の蒸気孔（５）を有する受け板（４）を設ける。
本発明は、以上の構成よりなっている。
本発明を使用するときは、蒸気孔（７ａ）を有する底部を備えた円筒状のシュウマイ成型容器（７）に皮を敷きその上にシュウマイの具を入れる。水受け容器（３）に水を張りシュウマイの具の入れてある受け皿（４）を水張り（３）の上に置き上部蒸気孔（１）を有するフタ（２）をかぶせる。所定の時間電子レンジで加熱をして、完成となる。シュウマイの形に皮を成型する手間が省け皮を破く、大きさが不揃いということもなく、少量のシュウマイを作るのに大きなセイロをだすこともなく後かたづけも楽である。
【図面の簡単な説明】
【０００７】
【図１】  本発明の斜視図
【図２】  本発明の分解斜視図
【図３】  本発明の使用状態を示す斜視図
【符号の説明】
【０００８】    １    蒸気孔
２    フタ
３    水受け容器
４    受け板
５    蒸気孔
６    装着孔
７    シュウマイ成型容器
７ａ  孔
【図１】
2008029782.tif 000003
【図２】
2008029782.tif 000004
【図３】
2008029782.tif 000005
(57)【要約】【課題】保温及び防滴機能を付加した携帯用グリップを提供する。【解決手段】  保温性及び撥水性のある素材からなり，指先及び手の甲を包む事が出来るように形成された円筒体を扁平状に畳み，当該円筒体を二つ折りにした状態で、係止出来るように係止部を設けた事を特徴とする携帯用グリップ。【選択図】図１
2008029783.tif 000002
【特許請求の範囲】
【請求項１】
保温性及び撥水性のある素材からなり，指先及び手の甲を包む事が出来るように形成された円筒体を扁平状に畳み，当該円筒体を二つ折りにした状態で、係止出来るように係止部を設けた事を特徴とする携帯用グリップ。
【発明の詳細な説明】
【技術分野】
【０００１】  本発明は，保温及び防滴機能を付加した携帯用グリップに関するものである。
【背景技術】
【０００２】  従来，取っ手部の接触面積が少ない買物袋，重量が重たいかばんから、指先の痛みを軽減してくれる指先保護型携帯用グリップがあった（特許文献１）。
【特許文献１】特許公開平５−２０１４５３
【発明の開示】
【発明が解決しようとする課題】
【０００３】  そのために，次のような問題があった。
（イ）指先の痛みは軽減してくれるが、指先及び手の甲を外気から保護はしてくれなかった。
（ロ）雨，雪等の防滴保護はしてくれなかった。
本発明は，この問題点を解決するためになされたものである。
【課題を解決するための手段】
【０００４】  保温性及び撥水性のある素材からなり，指先及び手の甲を包む事が出来るように形成された円筒体を扁平状に畳み，当該円筒体を二つ折りにした状態で、係止出来るように係止部を設けた事を特徴とする携帯用グリップ。
【発明の効果】
【０００５】  これにより指先，手の甲が外気から，雨，雪等から直接曝らされることを防ぐ事が出来る。
【発明を実施するための最良の形態】
【０００６】  以下，本発明の実施の形態について説明する。
（イ）表面（４）及び裏面（５）は，保温性及び撥水性のある皮或いは化学繊維の布と，中芯（６）は，緩衝性を持たせる為にフェルト或いは緩衝シートの三層構造からなり，指先及び手の甲を包む事が出来るように円筒体（１）を形成し，扁平状に畳む。
（ロ）円筒体（１）を二つ折りにして係止出来るように，両端部に面ファスナー（２）（３）を貼着する。
本発明は以上のような構造で，これを使用する時は，スーパーレジ袋，デパート袋等の買物袋（１４），かばん（１５），傘（１６）等の取っ手部を両端部の面ファスナー（２）（３）の大よそ真ん中に平行配置し，取っ手部を挟み込むように両端部の面ファスナー（２）（３）を接着する。接着後、開いている円筒体（１）の片側から手（１３）を挿入する。そして片方の手から持ち変える時も，もう片側の開放部から挿入出来，スムーズに移行可能である。
なお、本発明の他の実施例について説明する。
図３に示すように，当該面ファスナー（２）（３）とほぼ１８０度回転した位置に同じく面ファスナー（７）（８）を取り付，この面ファスナー（７）（８）を接着する事で従来ある指先の痛みを軽減させるように手（１３）を挿入せずに，表面（４）を持っても使用可能と成り、スマートに使用出来る。
また図４に示すように，裏面（５）のそれぞれの両端部の上下に同じく面ファスナー（９）（１０）（１１）（１２）を設け、使用時開放されている指先側の面ファスナー（９）（１０）或いは（１１）（１２）を接着し袋状にして，使用する事も可能である。こうする事により指先はより外気から保護される事になる。勿論初めから片方を袋状に製作する事も可能である。
なお面ファスナー（２）（３）（７）（８）（９）（１０）（１１）（１２）の代わりに，ホック，ボタン等でも係止可能である。
また裏面（５）の素材は、涼冷媒体でも可能である。これにより気温の高い季節でも手に汗をかかずに、快適に装着が出来る。
【図面の簡単な説明】
【０００７】
【図１】本発明の斜視図
【図２】本発明の端面図
【図３】本発明の他の実施例を示す斜視図
【図４】本発明の他の実施例を示す斜視図
【図５】本発明の使用状態を示す斜視図
【図６】本発明の使用状態を示す斜視図
【図７】本発明の使用状態を示す斜視図
【符号の説明】
【０００８】    １      円筒体
２      面ファスナー
３      面ファスナー
４      表面
５      裏面
６      中芯
７      面ファスナー
８      面ファスナー
９      面ファスナー
１０    面ファスナー
１１    面ファスナー
１２    面ファスナー
１３    手
１４    買物袋
１５    かばん
１６    傘
【図１】
2008029783.tif 000003
【図２】
2008029783.tif 000004
【図３】
2008029783.tif 000005
【図４】
2008029783.tif 000006
【図５】
2008029783.tif 000007
【図６】
2008029783.tif 000008
【図７】
2008029783.tif 000009
(57)【要約】【課題】  良好な病原菌の回収率及び良好な吸水性を達成しうる医療用綿棒を提供する。【解決手段】  綿状化後に油分除去処理を施した極細繊維により形成された綿球部を有する。【選択図】  図１
2008029713.tif 000002
【特許請求の範囲】
【請求項１】
綿状化後に油分除去処理を施した極細繊維により形成された綿球部を有することを特徴とする医療用綿棒。
【請求項２】
上記極細繊維はポリエステルを素材とすることを特徴とする請求項  １記載の医療用綿棒。
【請求項３】
上記極細繊維はナイロンを素材とすることを特徴とする請求項１記載の医療用綿棒。
【請求項４】
上記極細繊維は、ポリエステル及びナイロンを素材とする複合繊維により形成されていることを特徴とする請求項１記載の医療用綿棒。
【発明の詳細な説明】
【技術分野】
【０００１】
本発明は綿棒に係り、特に、極細繊維を使用した医療用綿棒に関する。
【背景技術】
【０００２】
従来より、設備又は機器の検査作業や、菌の培養作業を行う場合には綿棒が広く使用されている。従来、このような綿棒は、ビニロン又はレーヨン製の脱脂綿により綿球部が形成されている。
【発明の開示】
【発明が解決しようとする課題】
【０００３】
このような従来の綿棒にあっては、医療用として使用された場合、病原菌等の検体の回収率が低い、という問題点が存しており、医療用の綿棒にあっては、病原菌等の検体の回収率を向上させるという要請がある。
【０００４】
一方、検体の回収にあたっては、例えば、被験者の鼻腔等から菌を採取する必要がある場合もある。このように鼻腔等から菌を採取するような場合には、水分の多い体液である鼻水を綿棒によりものであることから、綿棒には吸水性が良好な点も要求される。
【０００５】
本件特許出願人は、過去において綿状化後に油分を除去し繊維表面を露出させたポリエステル製繊維からなる綿球部を有する綿棒を提案している。
しかしながら、このポリエステル繊維からなる綿球部を有する綿棒は、表面が平滑であることから菌体の回収率は良好であるが、吸水性が不良である、という不具合が存していた（特許文献１）。
【０００６】
また、ポリエステルとポリアミドとの複合繊維により綿球部を構成した清掃用綿棒も提案されている（特許文献２）。
しかしながら、このような清掃用綿棒にあっては、ポリエステル繊維の製造過程における油分付け工程において、付与された油分が残存することから、この油分が弊害となり、菌の採取率が低下することとなり、医療用綿棒には転用ができない、という事情が存していた。
【０００７】
【特許文献１】特開２００３−３１５２１８号
【特許文献２】特許第３７０４５６７号
【０００８】
そこで本発明の技術的課題は、良好な病原菌の回収率及び良好な吸水性を達成しうる医療用綿棒を提供することにある。
【課題を解決するための手段】
【０００９】
上記課題を解決するために、請求項１記載の発明にあっては、請求項１記載の発明にあっては、綿状化後に油分除去処理を施した極細繊維により形成された綿球部を有することを特徴とする。
【００１０】
従って、請求項１記載の発明にあっては、綿球部を構成する繊維に関し油分除去処理が施されていることから、検体を採取する場合には、検体を良好に吸着する。また、綿球部を構成する繊維は極細繊維により構成されていることから、繊維間の毛細現象により水分を吸収することができる。
【００１１】
請求項２記載の発明にあっては、上記極細繊維はポリエステルを素材とすることを特徴とする。
請求項３記載の発明にあっては、上記極細繊維はナイロンを素材とすることを特徴とする。
請求項４記載の発明にあっては、上記極細繊維は、ポリエステル及びナイロンを素材とする複合繊維により形成されていることを特徴とする。 
【発明の効果】
【００１２】
従って、請求項１乃至４記載の発明にあっては、油分が除去されていることから良好な検体採取率を確保することができると共に、極細繊維の毛細管現象を利用することにより良好な吸水率を確保することができる。
その結果、請求項１記載の発明にあっては、良好な検体回収率と良好な吸水率を同時に達成することができる綿棒を提供することができる。
【発明を実施するための最良の形態】
【００１３】
以下、図面を用いて本発明の実施の形態について説明する。
図１に示すように、本実施の形態に係る綿棒１０は、軸部１１とこの軸部１１の先端部に設けられた綿球部１２とからなる。
【００１４】
本実施の形態にあっては、上記綿球部１２を構成する綿繊維１３はポリエステルからなり、いわゆる「分割繊維」を使用している。このような「分割繊維」は、割繊により１２乃至２０の偏平断面繊維に分割形成され、極細化されている。この「割繊」は、水流絡合により分割されている。
【００１５】
また、上記ポリエステルからなる綿繊維１３は、未完成綿繊維として形成した後に、洗浄を行い、ポリエステル繊維の製造過程における油分付け工程におて繊維に付加された油分を除去している。
【００１６】
従って、本実施の形態に係る綿棒１０は、油分が除去されていることから、繊維表面が露出された状態で形成されており、菌等の検体の良好な回収率を確保することができる。
また、本実施の形態に係るポリエステル繊維は、上記のように「分割繊維」であって極細繊維であることから、繊維間の毛細現象により水分を良好に吸収することができる。
【００１７】
その結果、例えば、本実施の形態に係る医療用綿棒を、人体の鼻腔等の、鼻水がある部位に使用して菌を採取しなければならないような場合には、多くの水分と共に菌を採取することができる。
【産業上の利用可能性】
【００１８】
本発明は、広く医療用綿棒に適用することができる。
【図面の簡単な説明】
【００１９】
【図１】本発明に係る広告宣伝媒体の実施例を示すものであって、使用状態を示す斜視図である。
【符号の説明】
【００２０】
１０  医療用綿棒
１１  軸部
１２  綿球部
１３  綿繊維
【図１】
2008029713.tif 000003
(57)【要約】【課題】  スキ−板にスキ−棒を付けるとリフトに乗るとき一体化してるために人によってはリフトに乗りずらい。【解決手段】ピンをワンタッチでさし入れ可能なピンに変更すると取り外しが容易になり解消される。【選択図】図１
2008029707.tif 000002
【特許請求の範囲】
【請求項１】
既存のスキ−板を使用し、スケ−トボ−ドの様に一体感を味わいながら滑走出来、なおかつ滑走時に起こる両足のバランス不足の姿勢不良を強制的に訓練し、滑走時の見た目の綺麗さを実現できることを可能にした用具。
スキ−棒は、連結棒によって連結されていて連結棒を外すことにより、従来の滑りが可能になる。
【発明の詳細な説明】
【技術分野】
【０００１】
本発明は従来のスキ−板にスキ−棒を取り付け従来の滑り方と同様に滑れるように考案し、スキー滑走時の訓練とレジャ−を兼ねたスキ−用具である。
【背景技術】
【０００２】
従来、スキ−は、２本のスキ−板で滑っていた。世界的に常識であり、現在でもその滑り方が普通である。
【発明の開示】
【発明が解決しようとする課題】
【０００３】
本発明はスキ−板上にあるブ−ツの前後に左右のスキ−板が連結されるように１セットずつ付けるようにして、スキ−滑走が出来るようにしたものである。また、本発明はスキ−棒の連結棒を外して使用すれば従来の時と同じようにスキ−滑走が出来るようにする。
【課題を解決するための手段】
【０００４】
本発明は、２本のスキ−板を棒で連結し、その棒を金具で支え、そこをピンでつなぐことにより滑走時の時に姿勢が維持され訓練になる。また、ピンと棒の関係を遊びを設けることにより、普通の滑りも可能になる。また、棒をピンにより脱着可能にすれば、通常の滑走が可能になる。
【発明の効果】
【０００５】
このようにすれば、今まで通りの滑走も可能だし、スキ−棒を付ければスケ−トボ−ドのように一体姿勢で滑走が出来る。また、滑走時のスキ−板の左右のずれもなくなり、訓練にもなる。
【図面の簡単な説明】
【０００６】
【図１】使用全体図
【図２】平面図
【図３】正面図
【図４】側面図
【図５】使用形状図
【図６】ピン変更図
【符号の説明】
【０００７】
１  金具  
２  ピン
３  ブッシュ
【図１】
2008029707.tif 000003
【図２】
2008029707.tif 000004
【図３】
2008029707.tif 000005
【図４】
2008029707.tif 000006
【図５】
2008029707.tif 000007
【図６】
2008029707.tif 000008
(57)【要約】【課題】これまでの耳カバーは、耳の大きさ・形・柔らかさなどによって、装着しづらかったり、装着しても外れやすかった。また、装着したカバーの脇の隙間から浸入する液体を防げない、という欠点があった。本発明は、以上の問題点を解決し、簡単に装着でき、だぶつかず外れ難いイヤーカバーを提供することにある。【解決手段】ビニールや不織布等の防水性・伸縮性のある素材の片面を粘着加工し、その粘着面を剥離紙で覆った上、耳を包める大きさにカットしたシート状の貼付式イヤーカバーを特徴とする。【選択図】図１
2008029791.tif 000002
【特許請求の範囲】
【請求項１】
防水性のあるシート状素材の片面を粘着加工し、その粘着面を剥離紙で覆った上、耳を包める大きさにカットしたイヤーカバー。
【請求項２】
防水性のあるシート状素材に図案や着色を施し、片面を粘着加工する。粘着面を剥離紙で覆った上、耳を包める大きさにカットしたイヤーカバー。
【請求項３】
防水性のあるシート状素材の片面を粘着加工し、図案や着色を施した布や紙等を粘着面の中央付近に貼る。残りの粘着面を剥離紙で覆った上、耳を包める大きさにカットしたイヤーカバー。
【請求項４】
粘着面を覆う剥離紙を分割した、請求項１・請求項２・請求項３のイヤーカバー。
【請求項５】
請求項１・請求項２・請求項３・請求項４のイヤーカバーの一部に、切り込みを入れたイヤーカバー。
【発明の詳細な説明】
【技術分野】
【０００１】この発明は、シート状の貼付式イヤーカバーに関するものである。
【背景技術】
【０００２】これまで、耳を包めるほどにカットしたビニールを巾着状にして、開口部に輪ゴムを配した耳カバーがあった。
【発明の開示】
【発明が解決しようとする課題】
【０００３】これまでの耳カバーは、耳の大きさ・形・柔らかさなどによって、装着しづらかったり、装着しても外れやすかった。また、装着したカバーの脇の隙間から浸入する液体を防げない、という欠点があった。本発明は、以上の問題点を解決し、簡単に装着でき、だぶつかず外れ難いイヤーカバーを提供することにある。
【課題を解決するための手段】
【０００４】ビニールや不織布等の防水性・伸縮性のある素材の片面を粘着加工し、その粘着面を剥離紙で覆った上、耳を包める大きさにカットしたシート状の貼付式イヤーカバーを特徴とする。
【発明の効果】
【０００５】本発明により、だぶつかず外れ難いイヤーカバーが簡単に装着でき、耳への水の流入や、薬剤など異物が入ったり付着したりするのを防ぐことができる。
【発明を実施するための最良の形態】
【０００６】以下、本発明の実施の形態について説明する。
ビニールや不織布等で防水性・伸縮性のある素材の片面を粘着加工し、その粘着面を剥離紙で覆ったシート状のものを耳を包める大きさにカットする。皮膚に貼付するため、素材は通気性を備えていることがのぞましい。また粘着剤も低刺激で安全性の高い医療用の類を使用し、例え本発明の貼付時に髪が紛れ付いても、容易に剥がせる程度の粘着力を目安とする。耳に貼付しやすいように剥離紙を分割してもよい。
【産業上の利用可能性】
【０００７】本発明は、乳幼児の洗髪時や遊泳時、または要介護者や中耳・内耳を患う患者の入浴時などに貼付して、耳への水の流入を防ぐことができる。また、理美容業においてはカラーやパーマ等の技術を施術する際に貼付して、耳への薬剤の付着や流入を防ぐことができる。
【図面の簡単な説明】
【０００８】
【図１】シート状イヤーカバーの正面図である。
【図２】シート状イヤーカバーの背面図である。
【図３】貼付に際して最初にをはがす剥離紙（３）と、粘着面（４）が見える状態を示した背面図である。
【図４】粘着面（４）の貼付想定箇所を示した図である。
【図５】剥離紙（３ａ）をはがしたとき、粘着面（４ａ）が見える状態を示した背面図である。
【図６】粘着面（４ａ）を耳淵に巻くように貼付した時のイヤーカバーの状態と、２箇所の切込み位置を示した正面図である。
【図７】剥離紙（３ｂ）をはがし、粘着面を耳淵に巻くように貼付した時のイヤーカバーの状態を示した正面図である。
【図８】剥離紙（３ｃ）をはがし、粘着面を耳たぶに巻くように貼付した時のイヤーカバーの状態を示した正面図である。
【図９】実際に耳に貼付装着したシート状イヤーカバーを示した図である。
【図１０】剥離紙の他の分割方法の例示と、はがし方を示した背面図である。
【図１１】剥離紙の他の分割方法の例示と、はがし方を示した背面図である。
【図１２】剥離紙の他の分割方法の例示と、はがし方を示した背面図である。
【図１３】中央にイラスト（６）を配した、シート状イヤーカバーの正面図である。
【図１４】乳幼児の耳に貼付装着したシート状イヤーカバーを示した図である。
【符号の説明】
【０００９】１    切り込み
１ａ  切り込み
２    背面剥離紙の分割線
３    剥離紙
３ａ  剥離紙
３ｂ  剥離紙
３ｃ  剥離紙
４    粘着面
４ａ  粘着面
５    粘着面（４）の貼付想定箇所
６    中央に配したイラスト
【図１】
2008029791.tif 000003
【図２】
2008029791.tif 000004
【図３】
2008029791.tif 000005
【図４】
2008029791.tif 000006
【図５】
2008029791.tif 000007
【図６】
2008029791.tif 000008
【図７】
2008029791.tif 000009
【図８】
2008029791.tif 000010
【図９】
2008029791.tif 000011
【図１０】
2008029791.tif 000012
【図１１】
2008029791.tif 000013
【図１２】
2008029791.tif 000014
【図１３】
2008029791.tif 000015
【図１４】
2008029791.tif 000016
(57)【要約】【課題】  本発明は眼鏡の使用中において眼鏡の前部（レンズ部）が鼻筋をズリ落ちする事態を生じていたために眼鏡の前方（レンズ側）へのズレを止メるための眼鏡ズレ止メ治具を提供する。【解決手段】  左右一対のレンズフレームをブリッジで結び外側に蝶番で連結した耳掛けつる等で構成された眼鏡において、弾力性のある資材で形成された眼鏡ズレ止メ治具を眼鏡の耳掛けつるに装着し耳の裏に接触する位置で停める事により眼鏡の前方（レンズ側）へのズレを止メ眼鏡の前部（レンズ側）が鼻筋をズリ落ちする事態を防止する。【選択図】図１
2008268820.tif 000002
【特許請求の範囲】
【請求項１】
弾力性のある資材で形成された眼鏡ズレ止メ治具を眼鏡の耳掛けつるに装着し、耳の裏に接触する位置に停める。
【請求項２】
鼻パットと耳の裏との間隔の違いは眼鏡ズレ止メ治具を耳掛けつるの長さ内で移動し、調節する。
【発明の詳細な説明】
【技術分野】
【０００１】  本発明は眼鏡の使用中において眼鏡の前部（レンズ側）が鼻筋をズリ落ちする事態を防止するものである。
【背景技術】
【０００２】  従来の眼鏡の使用中においては前部（レンズ側）が鼻筋をズリ落ちる事態を防止するために耳掛けつるに滑り止メ治具又は挟み付けの治具を装着するものもある。
【特許文献１】  特開２００２−３１１３９３号公報
【特許文献２】  特開２００２−５５３１４号公報
【特許文献３】  特開２００７−３４２８９号公報
【発明の開示】
【発明が解決しようとする課題】
【０００３】  従来の眼鏡は使用中において眼鏡の前部（レンズ側）が鼻筋をズリ落ちしていた物が多数であった。
本発明はこの問題を解決するためになされたものである。
【課題を解決するための手段】
【０００４】  弾力性のある資材で形成するため眼鏡の耳掛けつるの形状の違いに対応する眼鏡ズレ止メ治具を眼鏡の耳掛けつるに装着し、使用を目的として眼鏡を顔の適正な位置に掛けた状態で耳の裏に接触する位置に停める。
【発明の効果】
【０００５】  眼鏡の使用中において眼鏡の前部（レンズ側）が鼻筋でズリ落ちる事はなくレンズと目との距離は常に適正な位置を保ち、視点の変化を防ぐとともに目の疲れを防止する。
【発明を実施するための最良の形態】
【０００６】  以下、本発明の実施の形態を説明する。
（イ）合成ゴム等弾力性のある資材で形成する
（ロ）図１は本発明の眼鏡ズレ止メ治具（１）の斜視図
（ハ）図２は眼鏡ズレ止メ治具（１）の正面及び側面図
（ニ）図３は眼鏡ズレ止メ治具（１）を眼鏡の耳掛けつる（６）に装着した図
（ホ）図４、図５は眼鏡ズレ止メ治具（１）を装着した眼鏡を耳に掛けた耳の部分の図
本発明を使用する場合は眼鏡ズレ止メ治具（１）の孔（２）に眼鏡の耳掛けつる（６）を貫通させ眼鏡ズレ止メ治具（１）を耳の裏に接触する位置に停める。
【図面の簡単な説明】
【０００７】
【図１】本発明の斜視図
【図２】本発明の正面及び側面図
【図３】本発明を眼鏡に装着した図
【図４】本発明の使用図（耳部分）
【図５】本発明の使用図（耳部分）
【符号の説明】
【０００８】    （１）  眼鏡ズレ止メ治具
（２）  孔
（３）  レンズフレーム
（４）  ブリッヂ
（５）  蝶番
（６）  耳掛けつる
（７）  鼻パット
（８）  レンズ
【図１】
2008268820.tif 000003
【図２】
2008268820.tif 000004
【図３】
2008268820.tif 000005
【図４】
2008268820.tif 000006
【図５】
2008268820.tif 000007